(57)【要約】  ユーザが手を挿入可能な手挿入部（３）に通じる前壁ノズル（５ａ）及び後壁ノズル（５ｂ）が形成された筐体（２）の内部に設置された高圧空気流発生装置（４）と、手挿入部（３）にユーザの手が挿入されたことを検知する手検知センサ（８ｃ）とを有し、手検知センサ（８ｃ）がユーザの手を検知した場合に、高圧空気流発生装置（４）が発生させた空気流を手挿入部（３）に噴射するハンドドライヤ（１）であって、装置の運転可能状態と休止状態とを切り替えるスイッチを備えた操作部を有し、スイッチは、筐体（２）の手挿入部（３）よりも下方の位置の外面に設けられた操作パネル（２１）と、操作パネル（２１）の裏側に設けられた複数の電極部（２４）とを含んで構成され、ユーザの指が操作パネル（２１）に触れることによって電極部（２４）に生じた静電容量の変化に基づいて、操作を検出する静電容量方式である。
2015128988.tif 000002
【特許請求の範囲】
【請求項１】
ユーザが手を挿入可能な手挿入部と該手挿入部に通じるノズルが形成された筐体と、前記筐体の内部に設置された高圧空気流発生装置と、前記手挿入部にユーザの手が挿入されたことを検知する手検知センサとを有し、該手検知センサがユーザの手を検知した場合に、前記高圧空気流発生装置が発生させた空気流を前記ノズルから前記手挿入部に噴射する手乾燥装置であって、
装置の運転可能状態と休止状態とを切り替えるスイッチを備えた操作部を有し、
前記スイッチは、前記筐体の前記手挿入部よりも下方の位置の外面に設けられた操作パネルと、該操作パネルの裏側に設けられた複数の電極とを含んで構成され、ユーザの指が前記操作パネルに触れることによって前記電極に生じた静電容量の変化に基づいて、操作を検出する静電容量方式であることを特徴とする手乾燥装置。
【請求項２】
前記筐体は、前記手挿入部で前記ユーザの手から吹き飛ばされた水滴を収容する排水タンクを有し、
前記操作パネルは、前記排水タンクの着脱口に隣接して配置されていることを特徴とする請求項１に記載の手乾燥装置。
【請求項３】
前記操作パネルは、前記筐体の正面側に配置されていることを特徴とする請求項２に記載の手乾燥装置。
【請求項４】
前記操作パネルの部分の前記筐体の内面と前記電極との間に導電性の弾性体を配置し、該導電性の弾性体を介して前記筐体の内面と前記電極とを密着させたことを特徴とする請求項１から３のいずれか１項に記載の手乾燥装置。
【請求項５】
前記手検知センサがユーザの手を検知した際に前記高圧空気流発生装置を作動させる制御部を有し
前記電極と前記制御部とを一体とした電極制御回路を前記操作パネルの内面に配置したことを特徴とする請求項１から３のいずれか１項に記載の手乾燥装置。
【発明の詳細な説明】
【技術分野】
【０００１】
本発明は、洗浄後の濡れた手を乾燥する手乾燥装置に関する。
【背景技術】
【０００２】
従来より、洗浄後の濡れた手をタオルやハンカチ等で払拭するのではなく、濡れた手を手挿入部（手乾燥室）に挿入し、挿入された手に高速空気流を噴射して、手に付着している水を吹き飛ばして手を乾燥する手乾燥装置が用いられている。【０００３】
特許文献１には、空気を送風する電動送風機と、略上方から挿入された手を乾燥する乾燥室と、乾燥室の内面に配置した電動送風機の送風気流を噴出する噴出孔と、電動送風機の送風側と噴出孔とを連通する送風流路と、電動送風機と送風流路とを覆い本体外観を形成する外郭と、電源スイッチとを備え、電源スイッチを本体設置状態での下部又は裏面に配した手乾燥装置が開示されている。
【先行技術文献】
【特許文献】
【０００４】
【特許文献１】特開２００１−３２７４３３号公報
【発明の概要】
【発明が解決しようとする課題】
【０００５】
特許文献１に開示された手乾燥装置は、電源スイッチを本体設置状態での下部又は裏面に配置することにより、本体設置空間の清掃時などに想定される機器への散水に対し、電源スイッチに直接水がかかりにくいようにし、水の浸入を防止して安全性の高い手乾燥装置を実現するものである。【０００６】
しかしながら、特許文献１に開示される手乾燥装置は、本体筐体の下部や裏面に配置した電源スイッチを清掃時に容易に操作できないため、手挿入部を拭き掃除する場合に手検知センサが反応して運転が開始されるため、清掃を行い難いという問題があった。【０００７】
また、電源スイッチを本体筐体の下部に配置しても、床面からの水跳ねによって水がかかる恐れがあり、本体筐体の裏面に電源スイッチを配置した場合には、本体筐体周辺に散水した場合や手乾燥時に発生する飛沫により、壁面との隙間から水滴がかかる恐れがあり、水の浸入を確実に防止できるとは言えない。【０００８】
本発明は、上記に鑑みてなされたものであって、清掃時に運転の入切を容易に操作でき、かつ操作部周辺へ水滴が飛散しても水が侵入しにくい手乾燥装置を得ることを目的とする。
【課題を解決するための手段】
【０００９】
上述した課題を解決し、目的を達成するために、本発明は、ユーザが手を挿入可能な手挿入部と手挿入部に通じるノズルが形成された筐体と、筐体の内部に設置された高圧空気流発生装置と、手挿入部にユーザの手が挿入されたことを検知する手検知センサとを有し、手検知センサがユーザの手を検知した場合に、高圧空気流発生装置が発生させた空気流ノズルから手挿入部に噴射する手乾燥装置であって、装置の運転可能状態と休止状態とを切り替えるスイッチを備えた操作部を有し、スイッチは、筐体の手挿入部よりも下方の位置の外面に設けられた操作パネルと、操作パネルの裏側に設けられた複数の電極とを含んで構成され、ユーザの指が操作パネルに触れることによって電極に生じた静電容量の変化に基づいて、操作を検出する静電容量方式であることを特徴とする。
【発明の効果】
【００１０】
本発明にかかる手乾燥装置は、清掃時に運転の入り切りを容易に操作でき、かつ操作部のスイッチが静電容量方式であるため、操作部の周辺へ水滴が飛散しても水が侵入しにくいという効果を奏する。
【図面の簡単な説明】
【００１１】
【図１】図１は、本発明にかかる手乾燥装置の実施の形態１のハンドドライヤを一方の側から見た斜視図である。
【図２】図２は、実施の形態１に係るハンドドライヤの側断面図である。
【図３】図３は、筐体の側面に操作パネルを設けたハンドドライヤの部分斜視図である。
【図４】図４は、操作パネルの詳細図である。
【図５】図５は、操作パネルの周辺の配置を示す概略図である。
【図６】図６は、電源スイッチが裏面に設置されたハンドドライヤの構造を示す斜視図である。
【図７】図７は、本発明にかかる手乾燥装置の実施の形態２のハンドドライヤの側面断面図である。
【発明を実施するための形態】
【００１２】
以下に、本発明にかかる手乾燥装置の実施の形態を図面に基づいて詳細に説明する。なお、この実施の形態によりこの発明が限定されるものではない。
【００１３】
実施の形態１．
図１は、本発明にかかる手乾燥装置の実施の形態１のハンドドライヤを一方の側から見た斜視図である。図２は、実施の形態１に係るハンドドライヤの側断面図である。
【００１４】
図１に示すように、ハンドドライヤ１は、ハンドドライヤ１の外郭をなす筐体２に、開口部９が設けられている。開口部９は、ハンドドライヤ１のユーザが筐体２へ手を挿入するための挿入口である。図２に示すように、筐体２の上部には、開口部９から挿入されたハンドドライヤ１のユーザが手を覆う空間である手挿入部３が設けられている。手挿入部３は、上下方向又は左右方向からユーザの手を自由に挿抜可能である。手挿入部３は、側面視において断面Ｕ字状をなしており、手挿入部３における上部から下部に向かうに従って、正面側から背面側に向けて若干傾斜している。
【００１５】
上述のように手挿入部３は、断面Ｕ字状をなしており、正面側の内壁である前壁３ａと、背面側の内壁である後壁３ｂとが対向している。そして、前壁３ａと後壁３ｂとは、その最下部において、底面側の内壁である底壁３ｃによって繋がっている。このように、手挿入部３は、側面視において、上部が開口した有底の断面Ｕ字状をなしている。さらに図１に示すように、手挿入部３の幅方向における両側面は、開放されている。
【００１６】
このように、手挿入部３の下部は、前壁３ａ、後壁３ｂ及び底壁３ｃによって囲まれた空間である。また、手挿入部３の上部は、前壁３ａと後壁３ｂとが対向し、両側面が開放された空間であり、筐体２の外部から手挿入部３の中にユーザの手を抜き差しすることができるようになっている。
【００１７】
また、前壁３ａ、後壁３ｂ及び底壁３ｃは、抗菌剤が含浸された樹脂で形成されている。さらに、前壁３ａ、後壁３ｂ及び底壁３ｃの表面には、シリコン系やフッ素系などの撥水性コーティング、又は酸化チタンなどの親水性コーティングが施されている。このため、手挿入部３の前壁３ａ、後壁３ｂ及び底壁３ｃに汚れが付着することを抑制するとともに、雑菌の繁殖を低減できる。
【００１８】
手挿入部３において、前壁３ａの上部の開口部９の近傍には、空気を噴出する前壁ノズル５ａが設けられ、後壁３ｂの上部の開口部９の近傍には、空気を噴出する後壁ノズル５ｂが設けられている。前壁ノズル５ａと後壁ノズル５ｂとは互いに対向している。前壁ノズル５ａ及び後壁ノズル５ｂは、幅方向にほぼ直線上に配置された複数の開口穴であり、各開口穴は、正面視において幅方向に波形状に延びるスリット状である。また、前壁ノズル５ａ及び後壁ノズル５ｂは、その先端が水平方向よりも若干下向きに傾斜しており、前壁ノズル５ａ及び後壁ノズル５ｂから噴出する空気が手挿入部３における下部（奥側）に向かう噴射角度となっている。
【００１９】
前壁３ａで前壁ノズル５ａよりもさらに上部の開口部９に近い位置には、手の有無を検知する上側手検知センサ（発光側）８ａが設けられ、前壁３ａで手挿入部３の奥側には手の有無を検知する奥側手検知センサ（発光側）８ｂが設けられている。後壁３ｂには、上側手検知センサ８ａと奥側手検知センサ８ｂとのほぼ中央付近に手検知センサ（受光側）８ｃが設けられており、上側手検知センサ８ａ及び奥側手検知センサ８ｂの各々が手検知センサ８ｃと対となる透過式センサを構成し、上側手検知センサ８ａや奥側手検知センサ８ｂで発光された赤外線が手挿入部３に挿入された手で遮られることによって手の有無を検知している。
【００２０】
手挿入部３の底面を構成する底壁３ｃの幅方向端部には、手挿入部３の水を排水する不図示の排水口が設けられている。排水口には、筐体２の上下方向に延びる排水路１７の上端部が取り付けられている。排水路１７の下端部には、排水タンク１８が接続されている。排水タンク１８は、排水路１７を通って排水された水を溜めるものであり、筐体２の底部に着脱自在に取り付けられている。排水タンク１８は、水平投影面の断面積が最大となる形状となっている。
【００２１】
筐体２の内部において、手挿入部３の下方には、図２に示すように、高圧空気を生成する高圧空気流発生装置４が設置されている。そして、この高圧空気流発生装置４で高圧化した空気は、高圧空気流発生装置４の上方に設けられた排気チャンバ１０に排出される。排気チャンバ１０は、高圧空気流発生装置４の排気側を囲んでいる。排気チャンバ１０の上部には、排気チャンバ１０内の空気を排出する排気口１１が設けられており、排気口１１には、高圧空気流発生装置４で生成された後、排気チャンバ１０内に排気された高圧空気を加熱する電気ヒータ１２が設けられている。排気口１１には、筐体２の正面側と背面側とに分岐した通風路である前排気ダクト１３ａと後排気ダクト１３ｂとが接続されている。前排気ダクト１３ａは、手挿入部３の前壁３ａよりも手前側を通りつつ、排気口１１から上方に延びており、後排気ダクト１３ｂは、手挿入部３の後壁３ｂよりも後方を通りつつ、排気口１１から上方に延びている。
【００２２】
前排気ダクト１３ａは、上端部において、前壁３ａに設けられた前壁ノズル５ａに接続されており、また、後排気ダクト１３ｂは、上端部において、後壁３ｂに設けられた後壁ノズル５ｂに接続されている。これにより、高圧空気流発生装置４から排出された高圧空気は、排気チャンバ１０、排気口１１及び前排気ダクト１３ａを通り、前壁ノズル５ａによって高速空気に変換され、この高速空気が前壁ノズル５ａから手挿入部３内に噴出される。また、高圧空気流発生装置４から排出された高圧空気は、排気チャンバ１０、排気口１１及び後排気ダクト１３ｂを通り、後壁ノズル５ｂによって、高速空気に変換され、この高速空気が後壁ノズル５ｂから手挿入部３内に噴出される。
【００２３】
高圧空気流発生装置４の吸気側においては、筐体２の上下方向に延びる吸気ダクト１４の上端部が高圧空気流発生装置４に接続されている。吸気ダクト１４の内壁には、高圧空気流発生装置４から発生する騒音を低減するため、吸音材２０が貼り付けられている。そして、吸気ダクト１４は、筐体２の底部まで延びており、吸気ダクト１４の下端部は、筐体２の底部において下方に開口した吸気口１５に接続されている。また、吸気口１５の入り口には、エアフィルタ１６が着脱自在に取り付けられている。なお、筐体２の正面には、正面パネル１９が取り付けられており、正面パネル１９の一部で排水タンク１８の上方には、ハンドドライヤ１の運転状態を切り替える操作パネル２１が設けられている。
【００２４】
次に、ハンドドライヤ１の制御部３１について説明する。筐体２の内部において、制御部３１は、高圧空気流発生装置４の下方に設けられている。制御部３１は、高圧空気流発生装置４及び電気ヒータ１２の運転等を制御する制御回路３１ａと、制御回路３１ａを収納するケース３１ｂと、制御回路３１ａを保護するカバー３１ｃと、放熱器３１ｄとを備えている。
【００２５】
制御回路３１ａには、ＦＥＴ（Field  Effect  Transistor）素子やＩＧＢＴ（Insulated  Gate  Bipolar  Transistor）素子などのスイッチング素子又は電解コンデンサなどの比較的大きな電子部品が用いられる。制御回路３１ａ上のスイッチング素子は、高圧空気流発生装置４の駆動時に発熱するため、発生した熱を放熱して故障を抑制する必要がある。放熱器３１ｄは、スイッチング素子で発生した熱を放熱するために、一般的に設置されるものであり、本実施の形態においても、高圧空気流発生装置４の制御回路３１ａにおいて、放熱器３１ｄをスイッチング素子に密着させている。また、放熱器３１ｄは、吸気ダクト１４内に差し込まれた構造となっており、これにより、放熱器３１ｄは、高圧空気流発生装置４の動作時に、吸気ダクト１４内を通流する空気流によって冷却される。なお、放熱器３１ｄは、熱伝導性の良好なアルミニウム製であり、フィン形状をなしている。
【００２６】
制御部３１は、手挿入部３に設けられた手挿入部３内の手の有無を検知する上側手検知センサ（発光側）８ａ、奥側手検知センサ８ｂ及び手検知センサ８ｃから出力された信号に基づいて、高圧空気流発生装置４の運転を制御する。そして、高圧空気流発生装置４で生成された空気流を、手挿入部３の内壁のうち、前壁３ａ及び後壁３ｂに設けられた前壁ノズル５ａ及び後壁ノズル５ｂから、手挿入部３内に噴出させる。
【００２７】
次に、ハンドドライヤ１の動作について説明する。ハンドドライヤ１のユーザが、ハンドドライヤ１の正面側に立ち、ハンドドライヤ１の上部に設けられた開口部９から手挿入部３の中へ濡れた手を挿入する。そして、手を手挿入部３の下部（奥側）に進入させていき、挿入された手の指先などによって、奥側手検知センサ８ｂから発せられる赤外線が遮られると、制御回路３１ａの不図示のマイコンは、手挿入部３内に手が挿入されていると判定する。これにより、マイコンは、高圧空気流発生装置４が運転を開始するように指示を出す。高圧空気流発生装置４が作動すると、エアフィルタ１６を通ることによって埃が除去された外部の空気が吸気口１５から吸い込まれ、この空気が吸気ダクト１４を通って高圧空気流発生装置４の吸気側に吸い込まれる。高圧空気流発生装置４は、このようにして吸い込んだ空気から、高圧空気を生成する。
【００２８】
高圧空気流発生装置４によって高圧化された高圧空気は、高圧空気流発生装置４の排気側から排気チャンバ１０内に排気される。その際、後述するヒータスイッチがオンである場合、高圧空気の一部は電気ヒータ１２を通過することによって加熱される。そして、電気ヒータ１２を通過して加熱された高圧空気と、電気ヒータ１２が設けられていない排気口１１を通過して加熱されていない高圧空気とは、混合されるとともに、前排気ダクト１３ａ及び後排気ダクト１３ｂに分かれて通流する。前排気ダクト１３ａ及び後排気ダクト１３ｂに分かれて通流した温風の高圧空気は、前壁３ａに設けられた前壁ノズル５ａ及び後壁３ｂに設けられた後壁ノズル５ｂによって、それぞれ高圧空気から高速空気に変換される。そして、この温風の高速空気が、前壁ノズル５ａ及び後壁ノズル５ｂから、手挿入部３内に噴出される。
【００２９】
これらの前壁ノズル５ａ及び後壁ノズル５ｂは、開口部９の近傍において、手挿入部３の幅方向に、ほぼ直線状に複数設置されているため、開口部９の近傍で、手挿入部３の幅方向に延びるエアカーテン状の高速空気が噴出される。このエアカーテン状の高速空気は、手挿入部３内に挿入されているユーザの手首又は手首付近における手の甲及び掌の両面に当たり、手の表裏に付着している水は、水滴となって吹き飛ばされる。
【００３０】
その際、前壁ノズル５ａ及び後壁ノズル５ｂの噴出方向は、水平方向よりも若干下向きに傾斜して、手挿入部３の奥側に向かっている。このため、前壁ノズル５ａ及び後壁ノズル５ｂから噴出する高速空気も、水平方向よりも若干下向きに傾斜した向き、すなわち手挿入部３の奥側に向かって噴出する。換言すると、高速空気は、手に対して垂直ではなく、指先方向（下向き）に向かって傾いた角度で衝突する。したがって、前壁ノズル５ａ及び後壁ノズル５ｂから噴出する高速空気の多くは、手に衝突した後、手に沿って手首から指先方向に向かって流れ、手に付着した水の多くも手に沿って手首から指先方向に向かって流れる。そして、指先に到達した水は、手挿入部３の底部の近傍において、指先から剥離されて水滴となり、その多くは下方、すなわち手挿入部３の底壁３ｃに向かって吹き飛ばされる。
【００３１】
濡れた手から吹き飛ばされて剥離した水滴は、手挿入部３の前壁３ａ、後壁３ｂ又は底壁３ｃに当たる。そして、前壁３ａ、後壁３ｂ及び底壁３ｃに当たった水滴は、手挿入部３の底部である底壁３ｃに向かって流下し、手挿入部３の底壁３ｃに設けられた不図示の排水口から、排水路１７を通って排水タンク１８に回収される。
【００３２】
ユーザの手が手挿入部３から引き抜かれ、上側手検知センサ（発光側）８ａが発する光が手検知センサ８ｃに到達するようになると、制御回路３１ａは、高圧空気流発生装置４を停止させる。
【００３３】
次に、ハンドドライヤ１の操作パネル２１について詳細に説明する。図１に示すように、筐体２において、手乾燥室よりも下方の正面パネル１９の一部で、排水タンク１８の上方には、ハンドドライヤ１の運転状態を切り替える操作パネル２１が外部から操作可能に露出して設けられている。排水タンク１８は、筐体２に設けられた凹状の着脱口１００に挿入されてセットされている。操作パネル２１は、着脱口１００の近傍に設けられている。
【００３４】
なお、本実施の形態では、操作パネル２１を筐体２の正面に設けた例を示したが、筐体２の側面に設けても良い。図３は、筐体の側面に操作パネルを設けたハンドドライヤの部分斜視図である。
【００３５】
図４は、操作パネルの詳細図である。操作パネル２１には、ハンドドライヤ１の各種設定を変更する複数のスイッチ２２ａ〜２２ｄが設けられている。具体的には、操作パネル２１には、入／切スイッチ２２ａ、風量調節スイッチ２２ｂ、ヒータスイッチ２２ｃ及びキーロックスイッチ２２ｄが設けられている。
【００３６】
入／切スイッチ２２ａは、ハンドドライヤ１の運転可能状態と休止状態とを切り替えるスイッチである。入／切スイッチ２２ａが「入」状態の場合、ハンドドライヤ１が運転可能状態となり、上側手検知センサ８ａ、奥側手検知センサ８ｂ及び手検知センサ８ｃによる手の検知に応じて高圧空気流発生装置４が動作する。一方、入／切スイッチ２２ａが「切」状態の場合には、ハンドドライヤ１は休止状態となり、手挿入部３に手を挿入しても高圧空気流発生装置４は動作しない。したがって、入／切スイッチ２２ａは、ハンドドライヤ１の運転可能状態と休止状態とを切り替えるものである。
【００３７】
具体的には、入／切スイッチ２２ａを運転オフに対応する「切」状態に切り替えることで、制御回路３１ａ内にあるリレーに信号が送られ、リレーの接点が開き高圧空気流発生装置４への電源供給が遮断されるため、制御回路３１ａへの電源供給はされているが、ハンドドライヤ１が使用できない休止状態となる。休止状態のハンドドライヤ１は、ユーザにとってはあたかも電源がオフになっている状態である。入／切スイッチ２２ａを運転オンに対応する「入」状態に切り替えることで、制御回路３１ａ内にあるリレーに信号が送られ、リレーの接点が閉じ高圧空気流発生装置４へ電源が供給されるため、ハンドドライヤ１は使用できる運転可能状態になる。運転可能状態のハンドドライヤ１は、ユーザにとってはあたかも電源がオンになっている状態である。
【００３８】
なお、高圧空気流発生装置４への電源供給の入り切りを行う上記リレーを搭載せずに、入／切スイッチ２２ａが「切」状態の場合に上側手検知センサ８ａ、奥側手検知センサ８ｂ及び手検知センサ８ｃによる手の検知を無効にすることで、手挿入部３に手を挿入しても高圧空気流発生装置４が動作しないようにしてハンドドライヤ１を休止状態としても良い。
【００３９】
風量調節スイッチ２２ｂは、高圧空気流発生装置４の動作時の風量を調節するスイッチである。ヒータスイッチ２２ｃは、電気ヒータ１２のオン／オフを切り替えるスイッチである。また、各種スイッチの上方には、ＬＥＤで装置の状態（各スイッチでの設定の状態）を表示する表示部２３が設けられている。
【００４０】
表示部２３には、入／切スイッチ２２ａ、風量調節スイッチ２２ｂ及びヒータスイッチ２２ｃの各々の上方に、入／切スイッチ２２ａ、風量調節スイッチ２２ｂ及びヒータスイッチ２２ｃによって設定されたそれぞれの状態を報知するＬＥＤランプ２３ａ１〜２３ｄ及び排水タンク１８が満水になった状態を報知するＬＥＤランプ２３ｅが設けられている。入／切スイッチ２２ａには、「入」及び「切」の表示文字の上に対応してそれぞれＬＥＤランプ２３ａ１，２３ａ２が設けられており、それぞれのＬＥＤランプ２３ａ１，２３ａ２の点灯で、運転がオンになっている状態又はオフされている状態を報知している。また、風量調節スイッチ２２ｂの上方には、５個のＬＥＤランプ２３ｂ１〜２３ｂ５が横一列に並べて設けられており、送風口から吹き出される風量の大きさを報知しており、左から順に点灯することで風量が大きいことを報知している。
【００４１】
また、ヒータスイッチ２２ｃの上方には、ＬＥＤランプ２３ｃが設けられ、送風口から吹き出す空気を加熱する電気ヒータ１２が「入」の場合には点灯し、電気ヒータ１２が「切」の場合は消灯して、電気ヒータ１２の入切状態を報知している。また、キーロックスイッチ２２ｄの上方には、ＬＥＤランプ２３ｄが設けられ、キーロックが設定されている場合には点灯し、キーロックが設定されていない場合には消灯して、キーロックの設定状態を表示している。
【００４２】
静電容量スイッチでは指の接触面積によって静電容量が変化するため、指をしっかり接触させることで、静電容量の変化が大きくなるが、軽く触れたり静電容量スイッチの端に触れるなどすると静電容量の変化は小さくなる。また、静電容量スイッチでは、水などの導体が触れると、指で触れた場合と同様に、静電容量が変化する。小さな水滴の場合は、静電容量の変化は小さいが、本体を伝うような大きな水滴が静電容量スイッチの上を通る場合、静電容量の変化はやや大きくなる。
【００４３】
ここで、水の付着による誤検知を防止するために、スイッチ検知の閾値を高く設定すると、スイッチに軽く触れただけでは検出できなくなるため、操作感が悪くなる。逆に閾値を低く設定すると、大きな水滴が付着した場合に指が触れたと誤検知してしまう。また、本体を伝うような大きな水滴では、静電容量スイッチ上に留まらず短時間で除去されるため、閾値を超えた変化が一定時間以上継続した場合に検知とすることで誤検知を防止することができるが、操作する際に一定時間以上静電容量スイッチに触れておく必要がある。風量調節スイッチ２２ｂなど複数回操作する必要があるスイッチの場合、１回あたりの操作時間が長くなるため、操作性が悪くなる。
【００４４】
そこで、ハンドドライヤ１では、操作するスイッチの機能によって、操作を受け付けるまでに触れている必要時間を変えている。入／切スイッチ２２ａ、風量調節スイッチ２２ｂ及びヒータスイッチ２２ｃの切り替え及びキーロックスイッチ２２ｄでのキーロック設定時の必要時間はどれも同じであるが、キーロックスイッチ２２ｄでのキーロック解除時のみ必要時間を長くし、例えば、約２秒以上触れ続けていないと操作を受け付けないようになっている。このようにすることで、できるだけ操作性を良好に維持するとともに、水滴の流下においても誤動作を防止できる。
【００４５】
次に、動作の概要について説明する。操作パネル２１の入／切スイッチ２２ａの「切」に対応する赤いＬＥＤランプ２３ａ１が点灯している状態は、ハンドドライヤ１の運転がオフされている状態である。まず、入／切スイッチ２２ａに指を触れると、入／切スイッチ２２ａが動作して運転がオンされ、「入」に対応するＬＥＤランプ２３ａ２が点灯するとともに、「切」に対応する赤いＬＥＤランプ２３ａ１は消灯する。運転がオンされると、ハンドドライヤ１はいつでも使用可能な待機状態となる。したがって、手挿入部３に濡れた手を挿入すれば、上側手検知センサ８ａ、奥側手検知センサ８ｂ及び手検知センサ８ｃが手を検知して高圧空気流発生装置４を動作させ、前壁ノズル５ａ及び後壁ノズル５ｂから空気が吹き出され、手を乾燥させることができる。
【００４６】
また、運転がオンされると、風量調節スイッチ２２ｂに対応する各ＬＥＤランプ２３ｂ１〜２３ｂ５、ヒータスイッチ２２ｃに対応するＬＥＤランプ２３ｃ及びキーロックスイッチ２２ｄに対応するＬＥＤランプ２３ｄが、その時点での設定状態に合わせて点灯又は消灯のままとなり、それぞれの設定状態を報知する。運転がオンされている状態で操作パネル２１の入／切スイッチ２２ａに触れると、ハンドドライヤ１の電源が切れ、表示部２３の「切」に対応するＬＥＤランプ２３ａ１が点灯するとともに、「入」に対応するＬＥＤランプ２３ａ２が消灯し、風量調節スイッチ２２ｂに対応する各ＬＥＤランプ２３ｂ１〜２３ｂ５、ヒータスイッチ２２ｃに対応するＬＥＤランプ２３ｃ及びキーロックスイッチ２２ｄに対応するＬＥＤランプ２３ｄは全て消灯する。
【００４７】
運転がオンされている状態においてのみ、操作パネル２１の風量調節スイッチ２２ｂ、ヒータスイッチ２２ｃ及びキーロックスイッチ２２ｄの受付が可能となる。運転がオンされている状態で風量調節スイッチ２２ｂに触れると、一度触れるたびに風量が一段階ずつ大きくなり、対応するＬＥＤランプ２３ｂ１〜２３ｂ５が左から順に点灯していく。風量は、５段階設けられ、横並びの５個のＬＥＤランプ２３ｂ１〜２３ｂ５が全て点灯した状態が最大風量に設定されていることを意味する。最大風量に設定されている状態で更に風量調節スイッチ２２ｂを一度操作すると、最小風量に戻り、横並びの５個のＬＥＤランプ２３ｂ１〜２３ｂ５のうち、左端のＬＥＤランプ２３ｂ１のみが点灯し、残りのＬＥＤランプ２３ｂ２，２３ｂ３，２３ｂ４，２３ｂ５は消灯する。
【００４８】
運転がオンされている状態でヒータスイッチ２２ｃに触れると、電気ヒータ１２の「入」・「切」を切り替えることができ、ヒータが「入」の設定状態であれば、電気ヒータ１２が動作し対応するＬＥＤランプ２３ｃが点灯する。ヒータが「切」の設定状態であれば、電気ヒータ１２は動作せず、ＬＥＤランプ２３ｃは消灯している。ヒータの入・切の切り替えは、ヒータスイッチ２２ｃに触れるたびに順に「入」「切」を繰り返す。
【００４９】
運転がオンされている状態でキーロックスイッチ２２ｄに触れると、キーロックの設定を切り替えることができる。キーロックが設定された状態では、対応するＬＥＤランプ２３ｄが点滅し、キーロックが設定されていない状態では対応するＬＥＤランプ２３ｄが消灯している。キーロックが設定されていない状態でキーロックスイッチ２２ｄに触れると、キーロックが設定され、キーロックが設定されている状態でキーロックスイッチ２２ｄに触れるとキーロックが解除される。
【００５０】
キーロックが設定されると、操作スイッチとしての操作パネル２１の入／切スイッチ２２ａ、風量調節スイッチ２２ｂ及びヒータスイッチ２２ｃの全ての操作受付が禁止される。このため、キーロックが設定されている状態では、入／切スイッチ２２ａ、風量調節スイッチ２２ｂ及びヒータスイッチ２２ｃのいずれのスイッチに指を触れても操作は受け付けられず、設定の切り替えや変更はできないようになっている。
【００５１】
図５は、操作パネルの周辺の配置を示す概略図である。正面パネル１９の一部である操作パネル２１の内側には、入／切スイッチ２２ａ、風量調節スイッチ２２ｂ、ヒータスイッチ２２ｃ及びキーロックスイッチ２２ｄに対応する各位置に静電容量の変化を捉える電極部２４が配置されており、操作パネル２１の内壁面と電極部２４との間には、空気層の介在を防止し、正面パネル１９の内側面と電極部２４とを密着させる導電性を有する弾性体として、導電性ゴム２５が設けられている。電極部２４は制御部３１の制御回路３１ａに接続されており、電極部２４で生じる静電容量変化は制御回路３１ａで検出される。電極部２４は、基板上に銅箔を印刷したプリント基板で構成しても良いし、金属製の板で構成した電極板であっても良い。
【００５２】
上記構成において、清掃者又は管理者が操作パネル２１の各種スイッチを操作するために触れた場合、制御回路３１ａのマイコンは電極部２４に生じた静電容量の変化を検知し、各種スイッチの内容に応じた処理を実施する。
【００５３】
例えば、清掃者がハンドドライヤ１を清掃するときに、入／切スイッチ２２ａを押す（触れる）と、操作パネル２１と導電性ゴム２５を介して電極部２４の静電容量が変化する。制御部３１内にある制御回路３１ａにて、電極部２４の静電容量値をモニタし、予め設定した値以上又は以下を検知した場合、入／切スイッチ２２ａが操作されたと判断し、操作前に上側手検知センサ８ａ、奥側手検知センサ８ｂ及び手検知センサ８ｃの検出が有効であった場合には無効にし、操作前に上側手検知センサ８ａ、奥側手検知センサ８ｂ及び手検知センサ８ｃの検出が無効であった場合には有効にする。したがって、清掃時に入／切スイッチ２２ａを操作して上側手検知センサ８ａ、奥側手検知センサ８ｂ及び手検知センサ８ｃの検出を無効にした場合は、清掃後もう一度入／切スイッチ２２ａを操作することにより、上側手検知センサ８ａ、奥側手検知センサ８ｂ及び手検知センサ８ｃの検出が有効になる。
【００５４】
風量調節スイッチ２２ｂについても同様で、制御回路３１ａは風量調節スイッチ２２ｂが操作されたと判断した場合、高圧空気流発生装置４の動作時には、風量調節スイッチ２２ｂを操作する前よりも風量を１段階高くする。ただし、風量が最も大きく設定されている状態において風量調節スイッチ２２ｂが操作されたと判断した場合には、風量を最も小さく設定する。なお、図４では、風量を５段階に設定可能な場合を例としているが、４段階以下又は６段階以上で風量を調整可能であっても良い。
【００５５】
ヒータスイッチ２２ｃについても同様の操作を実施することで、電気ヒータ１２のオン／オフの設定が可能である。
【００５６】
この構造により、ハンドドライヤ１の周辺に散水した場合や、使用時の水滴飛散によって操作パネル２１の周辺に水滴が付着したとしても、操作部周辺には製品内部に水が浸入する部分がないため（操作パネル２１の周辺では筐体２につなぎ目が無いため）、電気が通電されている回路等への水の浸入によって感電するといったことは無く、安全なハンドドライヤ１を実現できる。また、筐体２は、１〜３ｍｍ程度の厚さを持つ可塑性樹脂（ＡＢＳ（Acrylonitrile  Butadiene  Styrene）等）で堅牢に形成されており、操作部の操作時においても、指で触るだけで内部に電極により静電容量の変化で検知でき、操作時に可動する部分が無いため、操作に伴い亀裂が発生するなどの耐久性の問題も発生しない。
【００５７】
機械的スイッチを用いる場合には、防水のために弾力性のあるゴムや樹脂シートなどでカバーを設ける必要があるが、使用回数が増えると、亀裂が発生して水が浸入してしまう恐れがあった。本実施の形態では、静電容量スイッチを用いているため、このような問題は発生しない。
【００５８】
比較のために電源スイッチが裏面に設置されたハンドドライヤについて説明する。図６は、電源スイッチが裏面に設置されたハンドドライヤの構造を示す斜視図である。ハンドドライヤ４０の電源を入切する電源スイッチ４１は、ハンドドライヤ４０の裏面に配置されている。ハンドドライヤ４０を壁面に据え付けると、容易に電源スイッチ４１を操作できないため、清掃者がハンドドライヤ４０の電源を切らないまま手挿入部４２を拭き掃除し、手検知センサが手の挿入を検知して運転が開始されてしまうことが多くなる。ハンドドライヤ４０を運転したまま拭き掃除を行うと、清掃時の水を周囲にまき散らしたり、清掃者自身に飛沫がかかる恐れがあり、清掃作業を行い難い。
【００５９】
これに対し、本実施の形態のハンドドライヤ１は、清掃者が必ず清掃する排水タンク１８の周辺に操作パネル２１を配置しているため、入／切スイッチ２２ａがどこにあるか探す必要がなく、電源の切り忘れにより周囲に水滴を飛散させてしまうという問題が発生しないようにできる。
【００６０】
また、図４に示したように、操作パネル２１の各種スイッチには、スイッチの操作による設定状態を報知する手段として、表示部２３が各種スイッチの上方近傍に配置されている。上述の通り、制御回路３１ａが各種スイッチが操作されたと判断した場合には、その操作による設定状態を表すように、連動して表示部２３が点灯／消灯し、操作者に競って状態を知らせる。この構成により、操作したときの操作感が良好で、かつ清掃者に対して確実に設定状態を知らせることができる。
【００６１】
また、操作パネル２１には、各種スイッチの操作を有効／無効にするキーロックスイッチ２２ｄが設けられている。キーロックスイッチ２２ｄを一度長押しすることで、ほかのスイッチ（入／切スイッチ２２ａ、風量調節スイッチ２２ｂ及びヒータスイッチ２２ｃ）の全ての操作を受け付けないように操作パネル２１がロック状態に設定される。操作パネル２１をロック状態に設定することで、ユーザによるいたずらを防止できるとともに、清掃中に操作パネル２１の周辺を拭き掃除したときにハンドドライヤ１の運転設定が切り替わってしまうという問題の発生を防止できる。なお、図４では２秒長押しと図示しているが、あくまでも一例であり、長押し時間はこれに限定されることはない。
【００６２】
ロック状態において、キーロックスイッチ２２ｄを長押しすることで、操作パネル２１のロック状態が解除され、各種スイッチの操作の受付が有効となり、管理者や清掃者がハンドドライヤ１の設定を変更することが可能となる。
【００６３】
また、上記の説明では、キーロックスイッチ２２ｄの操作にて、各種スイッチ操作を有効／無効とするとしたが、他の仕様として、操作パネル２１の各種スイッチが操作された後、予め設定された時間内に操作が行われなかった場合にも、自動で操作パネル２１をロック状態に設定し、各種スイッチの操作を無効としても良い。この場合、キーロックスイッチ２２ｄを長押しすることにより、操作パネル２１のロック状態が解除され、他の各種スイッチ操作が再び有効となる。この仕様とすることで、清掃者や管理者が各種スイッチのロックを実施し忘れて、ユーザのいたずらにより設定が変更されてしまうことを防止できる。
【００６４】
なお、キーロックスイッチ２２ｄは、キーロックの設定・解除を切り替えるものであり、キーロックスイッチ２２ｄには「キーロック」と表示されているが、各種スイッチが操作された後、予め設定された時間内に操作が行われなかった場合に自動的に操作パネル２１をロック状態にする場合は、キーロックスイッチ２２ｄは、主にキーロック解除を目的として操作されるため、「キーロック解除」と表示しても良い。
【００６５】
実施の形態２．
図７は、本発明にかかる手乾燥装置の実施の形態２のハンドドライヤの側面断面図である。実施の形態１と同じ部分については同じ符号を付している。また、実施の形態１と同じ部分についての説明は省略し、異なる部分についてのみ以下に説明する。
【００６６】
実施の形態２では、実施の形態１で説明した電極部２４と制御部３１とが一体となった電極制御回路２６が操作パネル２１の内面に配置されている。この構造では、静電容量変化が生じる電極部分と、静電容量変化を処理する制御部３１のマイコンとが基板内で一体となっているため、配線長さや引き回しのばらつきで静電容量の変化を捉えられないという問題が発生しないようにできる。
【００６７】
また、一枚の基板内で静電容量の処理が可能となるため、電極−制御部の配線引き回しで受ける放射ノイズが高圧空気流発生装置４で発生する機器内のノイズの影響を緩和することが可能である。
【産業上の利用可能性】
【００６８】
以上のように、本発明にかかる手乾燥装置は、清掃時に運転の入り切りを容易に操作でき、かつ操作部のスイッチが静電容量方式であるため、操作部の周辺へ水滴が飛散しても水が侵入しにくい点で有用である。
【符号の説明】
【００６９】
１，４０  ハンドドライヤ、２  筐体、３，４２  手挿入部、３ａ  前壁、３ｂ  後壁、３ｃ  底壁、４  高圧空気流発生装置、５ａ  前壁ノズル、５ｂ  後壁ノズル、８ａ  上側手検知センサ、８ｂ  奥側手検知センサ、８ｃ  手検知センサ、９  開口部、１０  排気チャンバ、１１  排気口、１２  電気ヒータ、１３ａ  前排気ダクト、１３ｂ  後排気ダクト、１４  吸気ダクト、１５  吸気口、１６  エアフィルタ、１７  排水路、１８  排水タンク、１９  正面パネル、２１  操作パネル、２２ａ  入／切スイッチ、２２ｂ  風量調節スイッチ、２２ｃ  ヒータスイッチ、２２ｄ  キーロックスイッチ、２３  表示部、２３ａ１，２３ａ２，２３ｂ１，２３ｂ２，２３ｂ３，２３ｂ４，２３ｂ５，２３ｃ，２３ｄ，２３ｅ  ＬＥＤランプ、２４  電極部、２５  導電性ゴム、２６  電極制御回路、３１  制御部、３１ａ  制御回路、３１ｂ  ケース、３１ｃ  カバー、３１ｄ  放熱器、４１  電源スイッチ、１００  着脱口。
【図１】
2015128988.tif 000003
【図２】
2015128988.tif 000004
【図３】
2015128988.tif 000005
【図４】
2015128988.tif 000006
【図５】
2015128988.tif 000007
【図６】
2015128988.tif 000008
【図７】
2015128988.tif 000009
【手続補正書】
【提出日】平成28年2月17日(2016.2.17)
【手続補正１】
【補正対象書類名】明細書
【補正対象項目名】０００９
【補正方法】変更
【補正の内容】
【０００９】
上述した課題を解決し、目的を達成するために、本発明は、ユーザが手を挿入可能な手挿入部と手挿入部に通じるノズルが形成された筐体と、筐体の内部に設置された高圧空気流発生装置と、手挿入部にユーザの手が挿入されたことを検知する手検知センサとを有し、手検知センサがユーザの手を検知した場合に、高圧空気流発生装置が発生させた空気流をノズルから手挿入部に噴射する手乾燥装置であって、装置の運転可能状態と休止状態とを切り替えるスイッチを備えた操作部を有し、スイッチは、筐体の手挿入部よりも下方の位置の外面に設けられた操作パネルと、操作パネルの裏側に設けられた複数の電極とを含んで構成され、ユーザの指が操作パネルに触れることによって電極に生じた静電容量の変化に基づいて、操作を検出する静電容量方式であることを特徴とする。
【手続補正２】
【補正対象書類名】明細書
【補正対象項目名】００２３
【補正方法】変更
【補正の内容】
【００２３】
高圧空気流発生装置４の吸気側においては、筐体２の上下方向に延びる吸気ダクト１４の上端部が高圧空気流発生装置４に接続されている。吸気ダクト１４の内壁には、高圧空気流発生装置４から発生する騒音を低減するため、吸音材２０が貼り付けられている。そして、吸気ダクト１４は、筐体２の底部まで延びており、吸気ダクト１４の下端部は、筐体２の底部において下方に開口した吸気口１５に接続されている。また、吸気口１５の入り口には、エアフィルタ１６が着脱自在に取り付けられている。なお、筐体２の正面には、正面パネル１９が取り付けられており、正面パネル１９の一部であって排水タンク１８の上方の部分には、ハンドドライヤ１の運転状態を切り替える操作パネル２１が設けられている。
【手続補正３】
【補正対象書類名】明細書
【補正対象項目名】００３５
【補正方法】変更
【補正の内容】
【００３５】
図４は、操作パネルの詳細図である。操作パネル２１には、ハンドドライヤ１の各種設定を変更する複数のスイッチ２２ａ〜２２ｄが設けられている。具体的には、操作パネル２１には、入切スイッチ２２ａ、風量調節スイッチ２２ｂ、ヒータスイッチ２２ｃ及びキーロックスイッチ２２ｄが設けられている。
【手続補正４】
【補正対象書類名】明細書
【補正対象項目名】００３６
【補正方法】変更
【補正の内容】
【００３６】
入切スイッチ２２ａは、ハンドドライヤ１の運転可能状態と休止状態とを切り替えるスイッチである。入切スイッチ２２ａが「入」状態の場合、ハンドドライヤ１が運転可能状態となり、上側手検知センサ８ａ、奥側手検知センサ８ｂ及び手検知センサ８ｃによる手の検知に応じて高圧空気流発生装置４が動作する。一方、入切スイッチ２２ａが「切」状態の場合には、ハンドドライヤ１は休止状態となり、手挿入部３に手を挿入しても高圧空気流発生装置４は動作しない。したがって、入切スイッチ２２ａは、ハンドドライヤ１の運転可能状態と休止状態とを切り替えるものである。
【手続補正５】
【補正対象書類名】明細書
【補正対象項目名】００３７
【補正方法】変更
【補正の内容】
【００３７】
具体的には、入切スイッチ２２ａを運転オフに対応する「切」状態に切り替えることで、制御回路３１ａ内にあるリレーに信号が送られ、リレーの接点が開き高圧空気流発生装置４への電源供給が遮断されるため、制御回路３１ａへの電源供給はされているが、ハンドドライヤ１が使用できない休止状態となる。休止状態のハンドドライヤ１は、ユーザにとってはあたかも電源がオフになっている状態である。入切スイッチ２２ａを運転オンに対応する「入」状態に切り替えることで、制御回路３１ａ内にあるリレーに信号が送られ、リレーの接点が閉じ高圧空気流発生装置４へ電源が供給されるため、ハンドドライヤ１は使用できる運転可能状態になる。運転可能状態のハンドドライヤ１は、ユーザにとってはあたかも電源がオンになっている状態である。
【手続補正６】
【補正対象書類名】明細書
【補正対象項目名】００３８
【補正方法】変更
【補正の内容】
【００３８】
なお、高圧空気流発生装置４への電源供給の入り切りを行う上記リレーを搭載せずに、入切スイッチ２２ａが「切」状態の場合に上側手検知センサ８ａ、奥側手検知センサ８ｂ及び手検知センサ８ｃによる手の検知を無効にすることで、手挿入部３に手を挿入しても高圧空気流発生装置４が動作しないようにしてハンドドライヤ１を休止状態としても良い。
【手続補正７】
【補正対象書類名】明細書
【補正対象項目名】００３９
【補正方法】変更
【補正の内容】
【００３９】
風量調節スイッチ２２ｂは、高圧空気流発生装置４の動作時の風量を調節するスイッチである。ヒータスイッチ２２ｃは、電気ヒータ１２のオンとオフとを切り替えるスイッチである。また、各種スイッチの上方には、ＬＥＤで装置の状態（各スイッチでの設定の状態）を表示する表示部２３が設けられている。
【手続補正８】
【補正対象書類名】明細書
【補正対象項目名】００４０
【補正方法】変更
【補正の内容】
【００４０】
表示部２３には、入切スイッチ２２ａ、風量調節スイッチ２２ｂ及びヒータスイッチ２２ｃの各々の上方に、入切スイッチ２２ａ、風量調節スイッチ２２ｂ及びヒータスイッチ２２ｃによって設定されたそれぞれの状態を報知するＬＥＤランプ２３ａ１〜２３ｄ及び排水タンク１８が満水になった状態を報知するＬＥＤランプ２３ｅが設けられている。入切スイッチ２２ａには、「入」及び「切」の表示文字の上に対応してそれぞれＬＥＤランプ２３ａ１，２３ａ２が設けられており、それぞれのＬＥＤランプ２３ａ１，２３ａ２の点灯で、運転がオンになっている状態又はオフされている状態を報知している。また、風量調節スイッチ２２ｂの上方には、５個のＬＥＤランプ２３ｂ１〜２３ｂ５が横一列に並べて設けられており、送風口から吹き出される風量の大きさを報知しており、左から順に点灯することで風量が大きいことを報知している。
【手続補正９】
【補正対象書類名】明細書
【補正対象項目名】００４４
【補正方法】変更
【補正の内容】
【００４４】
そこで、ハンドドライヤ１では、操作するスイッチの機能によって、操作を受け付けるまでに触れている必要時間を変えている。入切スイッチ２２ａ、風量調節スイッチ２２ｂ及びヒータスイッチ２２ｃの切り替え及びキーロックスイッチ２２ｄでのキーロック設定時の必要時間はどれも同じであるが、キーロックスイッチ２２ｄでのキーロック解除時のみ必要時間を長くし、例えば、約２秒以上触れ続けていないと操作を受け付けないようになっている。このようにすることで、できるだけ操作性を良好に維持するとともに、水滴の流下においても誤動作を防止できる。
【手続補正１０】
【補正対象書類名】明細書
【補正対象項目名】００４５
【補正方法】変更
【補正の内容】
【００４５】
次に、動作の概要について説明する。操作パネル２１の入切スイッチ２２ａの「切」に対応する赤いＬＥＤランプ２３ａ１が点灯している状態は、ハンドドライヤ１の運転がオフされている状態である。まず、入切スイッチ２２ａに指を触れると、入切スイッチ２２ａが動作して運転がオンされ、「入」に対応するＬＥＤランプ２３ａ２が点灯するとともに、「切」に対応する赤いＬＥＤランプ２３ａ１は消灯する。運転がオンされると、ハンドドライヤ１はいつでも使用可能な待機状態となる。したがって、手挿入部３に濡れた手を挿入すれば、上側手検知センサ８ａ、奥側手検知センサ８ｂ及び手検知センサ８ｃが手を検知して高圧空気流発生装置４を動作させ、前壁ノズル５ａ及び後壁ノズル５ｂから空気が吹き出され、手を乾燥させることができる。
【手続補正１１】
【補正対象書類名】明細書
【補正対象項目名】００４６
【補正方法】変更
【補正の内容】
【００４６】
また、運転がオンされると、風量調節スイッチ２２ｂに対応する各ＬＥＤランプ２３ｂ１〜２３ｂ５、ヒータスイッチ２２ｃに対応するＬＥＤランプ２３ｃ及びキーロックスイッチ２２ｄに対応するＬＥＤランプ２３ｄが、その時点での設定状態に合わせて点灯又は消灯のままとなり、それぞれの設定状態を報知する。運転がオンされている状態で操作パネル２１の入切スイッチ２２ａに触れると、ハンドドライヤ１の電源が切れ、表示部２３の「切」に対応するＬＥＤランプ２３ａ１が点灯するとともに、「入」に対応するＬＥＤランプ２３ａ２が消灯し、風量調節スイッチ２２ｂに対応する各ＬＥＤランプ２３ｂ１〜２３ｂ５、ヒータスイッチ２２ｃに対応するＬＥＤランプ２３ｃ及びキーロックスイッチ２２ｄに対応するＬＥＤランプ２３ｄは全て消灯する。
【手続補正１２】
【補正対象書類名】明細書
【補正対象項目名】００５０
【補正方法】変更
【補正の内容】
【００５０】
キーロックが設定されると、操作スイッチとしての操作パネル２１の入切スイッチ２２ａ、風量調節スイッチ２２ｂ及びヒータスイッチ２２ｃの全ての操作受付が禁止される。このため、キーロックが設定されている状態では、入切スイッチ２２ａ、風量調節スイッチ２２ｂ及びヒータスイッチ２２ｃのいずれのスイッチに指を触れても操作は受け付けられず、設定の切り替えや変更はできないようになっている。
【手続補正１３】
【補正対象書類名】明細書
【補正対象項目名】００５１
【補正方法】変更
【補正の内容】
【００５１】
図５は、操作パネルの周辺の配置を示す概略図である。正面パネル１９の一部である操作パネル２１の内側には、入切スイッチ２２ａ、風量調節スイッチ２２ｂ、ヒータスイッチ２２ｃ及びキーロックスイッチ２２ｄに対応する各位置に静電容量の変化を捉える電極２４が配置されており、操作パネル２１の内壁面と電極２４との間には、空気層の介在を防止し、正面パネル１９の内側面と電極２４とを密着させる導電性を有する弾性体として、導電性ゴム２５が設けられている。電極２４は制御部３１の制御回路３１ａに接続されており、電極２４で生じる静電容量変化は制御回路３１ａで検出される。電極２４は、基板上に銅箔を印刷したプリント基板で構成しても良いし、金属製の板であっても良い。
【手続補正１４】
【補正対象書類名】明細書
【補正対象項目名】００５２
【補正方法】変更
【補正の内容】
【００５２】
上記構成において、清掃者又は管理者が操作パネル２１の各種スイッチを操作するために触れた場合、制御回路３１ａのマイコンは電極２４に生じた静電容量の変化を検知し、各種スイッチの内容に応じた処理を実施する。
【手続補正１５】
【補正対象書類名】明細書
【補正対象項目名】００５３
【補正方法】変更
【補正の内容】
【００５３】
例えば、清掃者がハンドドライヤ１を清掃するときに、入切スイッチ２２ａを押す（触れる）と、操作パネル２１と導電性ゴム２５を介して電極２４の静電容量が変化する。制御部３１内にある制御回路３１ａにて、電極２４の静電容量値をモニタし、予め設定した値以上又は以下を検知した場合、入切スイッチ２２ａが操作されたと判断し、操作前に上側手検知センサ８ａ、奥側手検知センサ８ｂ及び手検知センサ８ｃの検出が有効であった場合には無効にし、操作前に上側手検知センサ８ａ、奥側手検知センサ８ｂ及び手検知センサ８ｃの検出が無効であった場合には有効にする。したがって、清掃時に入切スイッチ２２ａを操作して上側手検知センサ８ａ、奥側手検知センサ８ｂ及び手検知センサ８ｃの検出を無効にした場合は、清掃後もう一度入切スイッチ２２ａを操作することにより、上側手検知センサ８ａ、奥側手検知センサ８ｂ及び手検知センサ８ｃの検出が有効になる。
【手続補正１６】
【補正対象書類名】明細書
【補正対象項目名】００５５
【補正方法】変更
【補正の内容】
【００５５】
ヒータスイッチ２２ｃについても同様の操作を実施することで、電気ヒータ１２のオン又はオフの設定が可能である。
【手続補正１７】
【補正対象書類名】明細書
【補正対象項目名】００５９
【補正方法】変更
【補正の内容】
【００５９】
これに対し、本実施の形態のハンドドライヤ１は、清掃者が必ず清掃する排水タンク１８の周辺に操作パネル２１を配置しているため、入切スイッチ２２ａがどこにあるか探す必要がなく、電源の切り忘れにより周囲に水滴を飛散させてしまうという問題が発生しないようにできる。
【手続補正１８】
【補正対象書類名】明細書
【補正対象項目名】００６０
【補正方法】変更
【補正の内容】
【００６０】
また、図４に示したように、操作パネル２１の各種スイッチには、スイッチの操作による設定状態を報知する手段として、表示部２３が各種スイッチの上方近傍に配置されている。上述の通り、制御回路３１ａが各種スイッチが操作されたと判断した場合には、その操作による設定状態を表すように、連動して表示部２３が点灯又は消灯し、操作者に競って状態を知らせる。この構成により、操作したときの操作感が良好で、かつ清掃者に対して確実に設定状態を知らせることができる。
【手続補正１９】
【補正対象書類名】明細書
【補正対象項目名】００６１
【補正方法】変更
【補正の内容】
【００６１】
また、操作パネル２１には、各種スイッチの操作を有効又は無効にするキーロックスイッチ２２ｄが設けられている。キーロックスイッチ２２ｄを一度長押しすることで、ほかのスイッチ（入切スイッチ２２ａ、風量調節スイッチ２２ｂ及びヒータスイッチ２２ｃ）の全ての操作を受け付けないように操作パネル２１がロック状態に設定される。操作パネル２１をロック状態に設定することで、ユーザによるいたずらを防止できるとともに、清掃中に操作パネル２１の周辺を拭き掃除したときにハンドドライヤ１の運転設定が切り替わってしまうという問題の発生を防止できる。なお、図４では２秒長押しと図示しているが、あくまでも一例であり、長押し時間はこれに限定されることはない。
【手続補正２０】
【補正対象書類名】明細書
【補正対象項目名】００６３
【補正方法】変更
【補正の内容】
【００６３】
また、上記の説明では、キーロックスイッチ２２ｄの操作にて、各種スイッチ操作を有効又は無効とするとしたが、他の仕様として、操作パネル２１の各種スイッチが操作された後、予め設定された時間内に操作が行われなかった場合にも、自動で操作パネル２１をロック状態に設定し、各種スイッチの操作を無効としても良い。この場合、キーロックスイッチ２２ｄを長押しすることにより、操作パネル２１のロック状態が解除され、他の各種スイッチ操作が再び有効となる。この仕様とすることで、清掃者や管理者が各種スイッチのロックを実施し忘れて、ユーザのいたずらにより設定が変更されてしまうことを防止できる。
【手続補正２１】
【補正対象書類名】明細書
【補正対象項目名】００６６
【補正方法】変更
【補正の内容】
【００６６】
実施の形態２では、実施の形態１で説明した電極２４と制御部３１とが一体となった電極制御回路２６が操作パネル２１の内面に配置されている。この構造では、静電容量変化が生じる電極部分と、静電容量変化を処理する制御部３１のマイコンとが基板内で一体となっているため、配線長さや引き回しのばらつきで静電容量の変化を捉えられないという問題が発生しないようにできる。
【手続補正２２】
【補正対象書類名】明細書
【補正対象項目名】００６９
【補正方法】変更
【補正の内容】
【００６９】
１，４０  ハンドドライヤ、２  筐体、３，４２  手挿入部、３ａ  前壁、３ｂ  後壁、３ｃ  底壁、４  高圧空気流発生装置、５ａ  前壁ノズル、５ｂ  後壁ノズル、８ａ  上側手検知センサ、８ｂ  奥側手検知センサ、８ｃ  手検知センサ、９  開口部、１０  排気チャンバ、１１  排気口、１２  電気ヒータ、１３ａ  前排気ダクト、１３ｂ  後排気ダクト、１４  吸気ダクト、１５  吸気口、１６  エアフィルタ、１７  排水路、１８  排水タンク、１９  正面パネル、２１  操作パネル、２２ａ  入切スイッチ、２２ｂ  風量調節スイッチ、２２ｃ  ヒータスイッチ、２２ｄ  キーロックスイッチ、２３  表示部、２３ａ１，２３ａ２，２３ｂ１，２３ｂ２，２３ｂ３，２３ｂ４，２３ｂ５，２３ｃ，２３ｄ，２３ｅ  ＬＥＤランプ、２４  電極、２５  導電性ゴム、２６  電極制御回路、３１  制御部、３１ａ  制御回路、３１ｂ  ケース、３１ｃ  カバー、３１ｄ  放熱器、４１  電源スイッチ、１００  着脱口。
【手続補正２３】
【補正対象書類名】図面
【補正対象項目名】図４
【補正方法】変更
【補正の内容】
【図４】
2015128988.tif 000010
【国際調査報告】
2015128988.tif 000011
2015128988.tif 000012
2015128988.tif 000013
2015128988.tif 000014